(57)【特許請求の範囲】
【請求項１】
コンバータの設定情報を管理する設定情報管理装置において、
前記コンバータは、機器からの信号をＩＰパケットに変換し又はＩＰパケットを機器で用いる信号に変換するコンバータであって、
前記コンバータの備えるネットワークインタフェースカードに対し、前記コンバータの備える複数の機器接続端子に対応する複数の仮想ＩＰインタフェースを生成する仮想ＩＰインタフェース生成部と、
前記複数の機器接続端子と前記複数の仮想ＩＰインタフェースとをそれぞれ関連付けて設定情報管理テーブルで管理するデータ管理部と、
前記ネットワークインタフェースカードが初期より備える初期ＩＰインタフェースにＩＰアドレスが割り振られているか否かを判定するＩＰアドレス要求部と、
前記初期ＩＰインタフェースにＩＰアドレスが割り振られている場合のみ、機器を識別するための機器識別情報に対応するＩＰアドレスを前記仮想ＩＰインタフェースに設定するＩＰアドレス設定部と、を備え、
前記データ管理部は、
前記設定情報管理テーブルに前記機器識別情報と前記ＩＰアドレスとを関連付けて管理することを特徴とする設定情報管理装置。
【請求項２】
前記機器識別情報に対応するＩＰアドレスを割り振り、当該ＩＰアドレスと当該機器識別情報とを関連付けてＩＰアドレス管理テーブルで管理するＩＰアドレス割振部を更に備えることを特徴とする請求項１に記載の設定情報管理装置。
【請求項３】
前記コンバータは、機器からの信号をＩＰパケットに変換するコンバータであり、前記機器は、送信機であって、
前記データ管理部は、
前記送信機からアンシラリーデータで送信された当該送信機の識別情報を前記機器識別情報として用いることを特徴とする請求項１又は２に記載の設定情報管理装置。
【請求項４】
前記ＩＰアドレス設定部は、ＩＰパケットの送信先ＩＰアドレスとしてマルチキャストグループアドレスを設定し、
前記データ管理部は、
前記設定情報管理テーブルに前記マルチキャストグループアドレスを関連付けて管理することを特徴とする請求項３に記載の設定情報管理装置。
【請求項５】
前記コンバータは、ＩＰパケットを機器で用いる信号に変換するコンバータであり、前記機器は、受信機であって、
前記データ管理部は、
予め設定されたデフォルト情報を前記機器識別情報として用いることを特徴とする請求項１乃至４のいずれかに記載の設定情報管理装置。
【請求項６】
前記ＩＰアドレス設定部は、ＩＰパケットを受信するＩＰアドレスとしてマルチキャストグループアドレスを設定し、
前記データ管理部は、
前記設定情報管理テーブルに当該マルチキャストグループアドレスを関連付けて管理することを特徴とする請求項５に記載の設定情報管理装置。
【請求項７】
前記機器は、データを双方向通信の信号で送受信する送受信機であって、
前記データ管理部は、
前記送受信機への問い合わせに応じて受信した当該送受信機の識別情報を前記機器識別情報として用いることを特徴とする請求項１乃至６のいずれかに記載の設定情報管理装置。
【請求項８】
前記ＩＰアドレス設定部は、
機器毎に異なるＩＰアドレスを前記複数の仮想ＩＰインタフェースにそれぞれ設定することを特徴とする請求項１乃至７のいずれかに記載の設定情報管理装置。
【請求項９】
コンバータの設定情報を管理する設定情報管理装置と、前記コンバータにＩＰアドレスを割り振るＩＰアドレス割り振り装置とを備えた設定情報管理システムにおいて、
前記コンバータは、機器からの信号をＩＰパケットに変換し又はＩＰパケットを機器で用いる信号に変換するコンバータであって、
前記設定情報管理装置は、
前記コンバータの備えるネットワークインタフェースカードに対し、前記コンバータの備える複数の機器接続端子に対応する複数の仮想ＩＰインタフェースを生成する仮想ＩＰインタフェース生成部と、
前記複数の機器接続端子と前記複数の仮想ＩＰインタフェースとをそれぞれ関連付けて設定情報管理テーブルで管理するデータ管理部と、
前記ネットワークインタフェースカードが初期より備える初期ＩＰインタフェースにＩＰアドレスが割り振られているか否かを判定するＩＰアドレス要求部と、
前記初期ＩＰインタフェースにＩＰアドレスが割り振られている場合のみ、機器を識別するための機器識別情報に対応するＩＰアドレスを前記仮想ＩＰインタフェースに設定するＩＰアドレス設定部と、を備え、
前記ＩＰアドレス割り振り装置は、
前記機器識別情報に対応するＩＰアドレスを割り振るＩＰアドレス割振部と、
当該ＩＰアドレスと当該機器識別情報とを関連付けてＩＰアドレス管理テーブルで管理するＩＰアドレス管理部と、を備え、
前記データ管理部は、
前記設定情報管理テーブルに前記機器識別情報と前記ＩＰアドレスとを関連付けて管理することを特徴とする設定情報管理システム。
【請求項１０】
コンバータの設定情報を管理する設定情報管理装置で行う設定情報管理方法において、
前記コンバータは、機器からの信号をＩＰパケットに変換し又はＩＰパケットを機器で用いる信号に変換するコンバータであって、
前記コンバータの備えるネットワークインタフェースカードに対し、前記コンバータの備える複数の機器接続端子に対応する複数の仮想ＩＰインタフェースを生成するステップと、
前記複数の機器接続端子と前記複数の仮想ＩＰインタフェースとをそれぞれ関連付けて設定情報管理テーブルで管理するステップと、
前記ネットワークインタフェースカードが初期より備える初期ＩＰインタフェースにＩＰアドレスが割り振られているか否かを判定するステップと、
前記初期ＩＰインタフェースにＩＰアドレスが割り振られている場合のみ、機器を識別するための機器識別情報に対応するＩＰアドレスを前記仮想ＩＰインタフェースに設定するステップと、
前記設定情報管理テーブルに前記機器識別情報と前記ＩＰアドレスとを関連付けて管理するステップと、
を行うことを特徴とする設定情報管理方法。
【請求項１１】
コンバータの設定情報を管理する設定情報管理装置で行う設定情報管理方法において、
前記コンバータは、機器からの信号をＩＰパケットに変換し又はＩＰパケットを機器で用いる信号に変換するコンバータであって、
前記コンバータの備えるネットワークインタフェースカードに対し、前記コンバータの備える複数の機器接続端子に対応する複数の仮想ＩＰインタフェースを生成するステップと、
前記複数の機器接続端子と前記複数の仮想ＩＰインタフェースとをそれぞれ関連付けて設定情報管理テーブルで管理するステップと、
前記ネットワークインタフェースカードが初期より備える初期ＩＰインタフェースにＩＰアドレスが割り振られているか否かを判定するステップと、
前記コンバータに接続された前記機器から当該機器を識別するための機器識別情報を受信したか否かを判定するステップと、
前記機器識別情報を受信した場合、受信した機器識別情報に対応するＩＰアドレスをＩＰアドレス割振部から受信し、前記機器識別情報を受信しない場合、機器識別情報として用いる予め設定されたデフォルト情報に対応するＩＰアドレスを前記ＩＰアドレス割振部から受信するステップと、
前記初期ＩＰインタフェースにＩＰアドレスが割り振られている場合のみ、受信したＩＰアドレスを前記仮想ＩＰインタフェースに設定するステップと、
前記設定情報管理テーブルに前記受信した機器識別情報又は前記デフォルト情報と当該ＩＰアドレスとを関連付けて管理するステップと、
を行うことを特徴とする設定情報管理方法。
【請求項１２】
コンバータの設定情報を管理する設定情報管理装置と、前記コンバータにＩＰアドレスを割り振るＩＰアドレス割り振り装置とで行う設定情報管理方法において、
前記コンバータは、機器からの信号をＩＰパケットに変換し又はＩＰパケットを機器で用いる信号に変換するコンバータであって、
前記設定情報管理装置は、
前記コンバータの備えるネットワークインタフェースカードに対し、前記コンバータの備える複数の機器接続端子に対応する複数の仮想ＩＰインタフェースを生成するステップと、
前記複数の機器接続端子と前記複数の仮想ＩＰインタフェースとをそれぞれ関連付けて設定情報管理テーブルで管理するステップと、
前記ネットワークインタフェースカードが初期より備える初期ＩＰインタフェースにＩＰアドレスが割り振られているか否かを判定するステップと、
前記初期ＩＰインタフェースにＩＰアドレスが割り振られている場合のみ、機器を識別するための機器識別情報に対応するＩＰアドレスを前記仮想ＩＰインタフェースに設定するステップと、
前記設定情報管理テーブルに前記機器識別情報と前記ＩＰアドレスとを関連付けて管理するステップと、を行い、
前記ＩＰアドレス割り振り装置は、
前記機器識別情報に対応するＩＰアドレスを割り振るステップと、
当該ＩＰアドレスと当該機器識別情報とを関連付けてＩＰアドレス管理テーブルで管理するステップと、
を行うことを特徴とする設定情報管理方法。
【請求項１３】
請求項１乃至８のいずれかに記載の設定情報管理装置としてコンピュータを機能させることを特徴とする設定情報管理プログラム。
【請求項１４】
請求項９に記載の設定情報管理システムとしてコンピュータを機能させることを特徴とする設定情報管理プログラム。
【発明の詳細な説明】
【技術分野】
【０００１】
本発明は、コンバータの設定情報を管理する技術に関する。
【背景技術】
【０００２】
多くのビデオカメラでは、ＢＮＣ（Ｂａｙｏｎｅｔ  Ｎｅｉｌ  Ｃｏｎｃｅｌｍａｎ）等のコネクタを持つ同軸ケーブルを接続し、ＳＤＩ（Ｓｅｒｉａｌ  Ｄｅｇｉｔａｌ  Ｉｎｔｅｒｆａｃｅ；映像データの伝送規格）を用いて映像データの伝送が行われている。一方、ＩＰカメラの登場により、ビデオカメラの分野においてもＩＰネットワークを利用する動きが広がっている。
【０００３】
そこで、現在では、ＢＮＣ端子のみを備えたビデオカメラをＩＰネットワークに接続するため、ＳＤＩ信号をＩＰパケットに変換するＳＤＩ／ＩＰコンバータが考案されている（非特許文献１）。ＳＤＩ／ＩＰコンバータ１は、複数のビデオカメラ３から送信された各映像データのＳＤＩ信号を各ＢＮＣ端子（ＳＤＩ−ＩＮ）でそれぞれ受信し、各ＳＤＩ信号をＩＰパケットにそれぞれ変換して、ＮＩＣ（Ｎｅｔｗｏｒｋ  Ｉｎｔｅｒｆａｃｅ  Ｃａｒｄ）上のＩＰインタフェースからＩＰネットワークへ出力する。
【先行技術文献】
【非特許文献】
【０００４】
【非特許文献１】“HDや4K等の映像音声信号、制御信号をネットワーク上で同期伝送・同期切り替えできる「リアルタイムIPプロダクション技術」を開発”、ソニー株式会社、［online］、［平成28年4月21日検索］、＜URL: http://www.sony.co.jp/SonyInfo/News/Press/201309/13-114/＞
【発明の概要】
【発明が解決しようとする課題】
【０００５】
通常、ＳＤＩ／ＩＰコンバータは、ＤＨＣＰサーバにより自動で割り振られたＩＰアドレスをＮＩＣ上のＩＰインタフェースに設定する。しかし、そのＩＰアドレスにはビデオカメラを識別するための情報が含まれていないため、ＳＤＩ信号の出力元であるビデオカメラを特定できない。つまり、ディスプレイも含めたシステム全体の管理者から見れば、任意のＤＨＣＰサーバにより自己が管理し得ないＩＰアドレスが勝手に割り振られるため、ディスプレイに表示された映像の出力元を特定できない。
【０００６】
また、ＳＤＩ／ＩＰコンバータ１のＢＮＣ端子（ＳＤＩ−ＯＵＴ）には、ビデオカメラ３からの映像データを表示するためにディスプレイ１１が接続される場合もある。この場合も同様に、ＳＤＩ／ＩＰコンバータ１のＩＰインタフェースに自動で割り振られたＩＰアドレスにはディスプレイ１１を識別するための情報が含まれていないため、ＳＤＩ信号の出力先を特定できない。
【０００７】
すなわち、従来のＳＤＩ／ＩＰコンバータでは、ＤＨＣＰサーバにより自動で機器の識別情報が不在のＩＰアドレスが割り振られるため、ＳＤＩ側の機器を特定できないという課題があった。
【０００８】
本発明は、上記事情を鑑みてなされたものであり、管理者がコンバータに接続された機器に対するＩＰアドレスの割り振りを簡便に把握できるようにすることを目的とする。
【課題を解決するための手段】
【０００９】
以上の課題を解決するため、請求項１に係る設定情報管理装置は、コンバータの設定情報を管理する設定情報管理装置において、前記コンバータは、機器からの信号をＩＰパケットに変換し又はＩＰパケットを機器で用いる信号に変換するコンバータであって、前記コンバータの備える複数の機器接続端子と複数のＩＰインタフェースとをそれぞれ関連付けて設定情報管理テーブルで管理するデータ管理部と、機器を識別するための機器識別情報に対応するＩＰアドレスを前記ＩＰインタフェースに設定するＩＰアドレス設定部と、を備え、前記データ管理部は、前記設定情報管理テーブルに前記機器識別情報と前記ＩＰアドレスとを関連付けて管理することを要旨とする。
【００１０】
請求項２に係る設定情報管理装置は、請求項１に記載の設定情報管理装置において、前記機器識別情報に対応するＩＰアドレスを割り振り、当該ＩＰアドレスと当該機器識別情報とを関連付けてＩＰアドレス管理テーブルで管理するＩＰアドレス割振部を更に備えることを要旨とする。
【００１１】
請求項３に係る設定情報管理装置は、請求項１又は２に記載の設定情報管理装置において、前記コンバータは、機器からの信号をＩＰパケットに変換するコンバータであり、前記機器は、送信機であって、前記データ管理部は、前記送信機からアンシラリーデータで送信された当該送信機の識別情報を前記機器識別情報として用いることを要旨とする。
【００１２】
請求項４に係る設定情報管理装置は、請求項３に記載の設定情報管理装置において、前記ＩＰアドレス設定部は、ＩＰパケットの送信先ＩＰアドレスとしてマルチキャストグループアドレスを設定し、前記データ管理部は、前記設定情報管理テーブルに前記マルチキャストグループアドレスを関連付けて管理することを要旨とする。
【００１３】
請求項５に係る設定情報管理装置は、請求項１乃至４のいずれかに記載の設定情報管理装置において、前記コンバータは、ＩＰパケットを機器で用いる信号に変換するコンバータであり、前記機器は、受信機であって、前記データ管理部は、予め設定されたデフォルト情報を前記機器識別情報として用いることを要旨とする。
【００１４】
請求項６に係る設定情報管理装置は、請求項５に記載の設定情報管理装置において、前記ＩＰアドレス設定部は、ＩＰパケットを受信するＩＰアドレスとしてマルチキャストグループアドレスを設定し、前記データ管理部は、前記設定情報管理テーブルに当該マルチキャストグループアドレスを関連付けて管理することを要旨とする。
【００１５】
請求項７に係る設定情報管理装置は、請求項１乃至６のいずれかに記載の設定情報管理装置において、前記機器は、データを双方向通信の信号で送受信する送受信機であって、前記データ管理部は、前記送受信機への問い合わせに応じて受信した当該送受信機の識別情報を前記機器識別情報として用いることを要旨とする。
【００１６】
請求項８に係る設定情報管理装置は、請求項１乃至７のいずれかに記載の設定情報管理装置において、前記ＩＰアドレス設定部は、機器毎に異なるＩＰアドレスを前記複数のＩＰインタフェースにそれぞれ設定することを要旨とする。
【００１７】
請求項９に係る設定情報管理システムは、コンバータの設定情報を管理する設定情報管理装置と、前記コンバータにＩＰアドレスを割り振るＩＰアドレス割り振り装置とを備えた設定情報管理システムにおいて、前記コンバータは、機器からの信号をＩＰパケットに変換し又はＩＰパケットを機器で用いる信号に変換するコンバータであって、前記設定情報管理装置は、前記コンバータの備える複数の機器接続端子と複数のＩＰインタフェースとをそれぞれ関連付けて設定情報管理テーブルで管理するデータ管理部と、機器を識別するための機器識別情報に対応するＩＰアドレスを前記ＩＰインタフェースに設定するＩＰアドレス設定部と、を備え、前記ＩＰアドレス割り振り装置は、前記機器識別情報に対応するＩＰアドレスを割り振るＩＰアドレス割振部と、当該ＩＰアドレスと当該機器識別情報とを関連付けてＩＰアドレス管理テーブルで管理するＩＰアドレス管理部と、を備え、前記データ管理部は、前記設定情報管理テーブルに前記機器識別情報と前記ＩＰアドレスとを関連付けて管理することを要旨とする。
【００１８】
請求項１０に係る設定情報管理方法は、コンバータの設定情報を管理する設定情報管理装置で行う設定情報管理方法において、前記コンバータは、機器からの信号をＩＰパケットに変換し又はＩＰパケットを機器で用いる信号に変換するコンバータであって、前記コンバータの備える複数の機器接続端子と複数のＩＰインタフェースとをそれぞれ関連付けて設定情報管理テーブルで管理するステップと、機器を識別するための機器識別情報に対応するＩＰアドレスを前記ＩＰインタフェースに設定するステップと、前記設定情報管理テーブルに前記機器識別情報と前記ＩＰアドレスとを関連付けて管理するステップと、を備えることを要旨とする。
【００１９】
請求項１１に係る設定情報管理方法は、コンバータの設定情報を管理する設定情報管理装置で行う設定情報管理方法において、前記コンバータは、機器からの信号をＩＰパケットに変換し又はＩＰパケットを機器で用いる信号に変換するコンバータであって、前記コンバータの備える複数の機器接続端子と複数のＩＰインタフェースとをそれぞれ関連付けて設定情報管理テーブルで管理するステップと、前記コンバータに接続された前記機器から当該機器を識別するための機器識別情報を受信したか否かを判定するステップと、前記機器識別情報を受信した場合、受信した機器識別情報に対応するＩＰアドレスをＩＰアドレス割振部から受信し、前記機器識別情報を受信しない場合、機器識別情報として用いる予め設定されたデフォルト情報に対応するＩＰアドレスを前記ＩＰアドレス割振部から受信するステップと、受信したＩＰアドレスを前記ＩＰインタフェースに設定するステップと、前記設定情報管理テーブルに前記受信した機器識別情報又は前記デフォルト情報と当該ＩＰアドレスとを関連付けて管理するステップと、を備えることを要旨とする。
【００２０】
請求項１２に係る設定情報管理方法は、コンバータの設定情報を管理する設定情報管理装置と、前記コンバータにＩＰアドレスを割り振るＩＰアドレス割り振り装置とで行う設定情報管理方法において、前記コンバータは、機器からの信号をＩＰパケットに変換し又はＩＰパケットを機器で用いる信号に変換するコンバータであって、前記設定情報管理装置は、前記コンバータの備える複数の機器接続端子と複数のＩＰインタフェースとをそれぞれ関連付けて設定情報管理テーブルで管理するステップと、機器を識別するための機器識別情報に対応するＩＰアドレスを前記ＩＰインタフェースに設定するステップと、前記設定情報管理テーブルに前記機器識別情報と前記ＩＰアドレスとを関連付けて管理するステップと、を備え、前記ＩＰアドレス割り振り装置は、前記機器識別情報に対応するＩＰアドレスを割り振るステップと、当該ＩＰアドレスと当該機器識別情報とを関連付けてＩＰアドレス管理テーブルで管理するステップと、を備えることを要旨とする。
【００２１】
請求項１３に係る設定情報管理プログラムは、請求項１乃至８のいずれかに記載の設定情報管理装置としてコンピュータを機能させることを要旨とする。
【００２２】
請求項１４に係る設定情報管理プログラムは、請求項９に記載の設定情報管理システムとしてコンピュータを機能させることを要旨とする。
【発明の効果】
【００２３】
本発明によれば、管理者がコンバータに接続された機器に対するＩＰアドレスの割り振りを簡便に把握できる。
【図面の簡単な説明】
【００２４】
【図１】第１の実施形態に係る管理システムの全体構成を示す図である。
【図２】管理装置の機能ブロック構成を示す図である。
【図３】ＩＰアドレス割り振り装置の機能ブロック構成を示す図である。
【図４】ＳＤＩ／ＩＰコンバータのＢＮＣ端子に機器が接続された際の動作フローを示す図である。
【図５】図４に示した動作フローの全体イメージを示す図である。
【図６】設定情報管理テーブルの例を示す図である。
【図７】機器からＳＤＩ信号が送信された際の動作フローを示す図である。
【図８】ＳＤＩ／ＩＰコンバータのＢＮＣ端子から機器が取り外された際の動作フローを示す図である。
【図９】ＩＰアドレス取得要求を受信した際の動作フローを示す図である。
【図１０】ＩＰアドレス管理テーブルの例を示す図である。
【図１１】ＩＰアドレスリリース要求を受信した際の動作フローを示す図である。
【図１２】ＢＮＣ端子とＩＰインタフェースとの関連付けの例を示す図である。
【図１３】第２の実施形態に係る管理システムの全体構成を示す図である。
【図１４】ＩＰネットワークから映像データのＩＰパケットが送信された際の動作フローを示す図である。
【図１５】第３の実施形態に係る管理システムの全体構成を示す図である。
【図１６】設定情報管理テーブルの例を示す図である。
【図１７】第４の実施形態に係るＳＤＩ／ＩＰコンバータ及び管理装置の構成を示す図である。
【発明を実施するための形態】
【００２５】
本発明では、上述した課題を解決するため、ＳＤＩ／ＩＰコンバータに接続された機器の識別情報とＮＩＣ上のＩＰインタフェースに割り振られたＩＰアドレスとを関連付けて管理することを特徴とする。以下、本発明を実施する一実施の形態について図面を用いて説明する。
【００２６】
＜第１の実施形態＞
図１は、本実施の形態に係る管理システム１００の全体構成を示す図である。該管理システム１００は、ＳＤＩ／ＩＰコンバータ１と、４つのビデオカメラ３（３ａ〜３ｄ；送信機）と、ＩＰアドレス割り振り装置５と、システム管理端末７と、を備えて構成される。
【００２７】
ビデオカメラ３は、ＢＮＣ端子を備え、ＳＤＩ／ＩＰコンバータ１のＢＮＣ端子（ＳＤＩ−ＩＮ）に同軸ケーブルで接続されており、撮影した映像データをＳＤＩ信号でＳＤＩ／ＩＰコンバータ１に伝送する。また、ビデオカメラ３は、ＳＤＩ／ＩＰコンバータ１のＢＮＣ端子に接続された際、ビデオカメラ３を識別する個体番号情報をアンシラリーデータＡＮＣ（Ａｎｃｉｌｌａｒｙ  Ｄａｔａ）に乗せて送信する。なお、ビデオカメラ３の数は、任意であり、５つ以上でも構わない。
【００２８】
ＳＤＩ／ＩＰコンバータ１は、図２の上側に示すように、複数のＢＮＣ端子（ＢＮＣ１〜ＢＮＣ４；ＳＤＩ−ＩＮ）と、１つ以上のＮＩＣと、を備えて構成される。また、ＳＤＩ／ＩＰコンバータ１は、該ＳＤＩ／ＩＰコンバータ１の設定情報を管理する管理装置１Ａ（設定情報管理装置）を更に備えて構成される。該管理装置１Ａは、ＳＤＩ／ＩＰコンバータ１の備える複数のＢＮＣ端子（ＢＮＣ１〜ＢＮＣ４）と複数のＩＰインタフェース（ｅｔｈ０，ｅｔｈ０：１〜ｅｔｈ０：４）とを関連付けて管理する。
【００２９】
なお、ＩＰインタフェース（ｅｔｈ０）は、物理的なＮＩＣが初期より備える論理的なＩＰインタフェースである。例えば、ＩＰインタフェース（ｅｔｈ０）は、ＤＨＣＰサーバによりＩＰアドレスが設定される。一方、ＩＰインタフェース（ｅｔｈ０：１〜ｅｔｈ０：４）は、管理装置１Ａが本発明で新たに生成する論理的な仮想ＩＰインタフェースである。なお、ＢＮＣ端子及びＩＰインタフェースの数は、任意であり、５つ以上でも構わない。
【００３０】
管理装置１Ａは、図２の下側に示すように、複数のＢＮＣ端子にそれぞれ対応する複数の仮想ＩＰインタフェース（ｅｔｈ０：１〜ｅｔｈ０：４）を生成する仮想ＩＰインタフェース生成部１０１と、ビデオカメラ３からのＳＤＩ信号（アンシラリーデータＡＮＣ，映像データ等が含まれる）を受信するデータ／信号受信部１０２と、アンシラリーデータＡＮＣに含まれるビデオカメラ３の個体番号情報を用いて該個体番号に対応するＩＰアドレスをＩＰアドレス割り振り装置５に要求するＩＰアドレス要求部１０３と、ＩＰアドレス割り振り装置５で割り振られたＩＰアドレスを仮想ＩＰインタフェースにビデオカメラ３毎に設定するＩＰアドレス設定部１０４と、仮想ＩＰインタフェースのＩＰアドレスやビデオカメラ３の個体番号情報等を関連付けて設定情報管理テーブルで管理するデータ管理部１０５と、該設定情報管理テーブルに基づきビデオカメラ３からの映像データの出力ＩＰインタフェースを特定する出力ＩＰインタフェース特定部１０６と、ＳＤＩ信号をＩＰパケットに変換するＳＤＩ／ＩＰ変換部１０７と、を備えて構成される。なお、ＳＤＩ／ＩＰ変換部１０７で行うＳＤＩ信号とＩＰパケット間の変換方法は、信号変換の規格（ＳＭＰＴＥ２０２２−６）に詳述されている。
【００３１】
ＩＰアドレス割り振り装置５は、図３に示すように、ＩＰネットワーク上のＩＰアドレスをＩＰアドレス管理テーブルで管理するＩＰアドレス管理部５０１と、ＩＰネットワーク上の任意装置からのＩＰアドレス取得要求を受信するＩＰアドレス取得要求受信部５０２と、ＩＰアドレス管理テーブルに基づきＩＰネットワーク上で一意となるＩＰアドレスを割り振るＩＰアドレス割振部５０３と、を備えて構成される。
【００３２】
システム管理端末７は、管理システム１００の管理者が使用するための端末であり、ＩＰネットワーク９に接続され、ＳＤＩ／ＩＰコンバータ１及びＩＰアドレス割り振り装置５にアクセス可能である。管理者は、システム管理端末７を使用することにより、ＳＤＩ／ＩＰコンバータ１の設定情報管理テーブル及びＩＰアドレス割り振り装置５のＩＰアドレス管理テーブルを取得して参照可能である。
【００３３】
次に、本実施の形態に係る管理システム１００の動作について説明する。
【００３４】
まず、ＳＤＩ／ＩＰコンバータ１（管理装置１Ａ）の動作について説明する。
【００３５】
図４は、ＳＤＩ／ＩＰコンバータ１のＢＮＣ端子に機器（ビデオカメラ３）が接続された際の動作フローを示す図である。図５は、該動作フローの全体イメージを示す図である。なお、管理装置１Ａの仮想ＩＰインタフェース生成部１０１により、ＳＤＩ／ＩＰコンバータ１の４つのＢＮＣ端子に対して４つの仮想ＩＰインタフェース（ｅｔｈ０：１〜ｅｔｈ０：４）が予め生成されているものとする。仮想ＩＰインタフェースの生成手法については、ＩＰエイリアス等の公知技術を用いる。また、データ管理部１０５は、該４つのＢＮＣ端子と該４つの仮想ＩＰインタフェースとを関連付けて設定情報管理テーブルで記憶し管理しているものとする。
【００３６】
まず、管理装置１Ａは、ＳＤＩ／ＩＰコンバータ１のＢＮＣ端子に機器が接続されると、ＢＮＣ端子（ＳＤＩ−ＩＮ）に接続されたかを判定する（ステップＳ１０１）。
【００３７】
本動作例では、ビデオカメラ３がＢＮＣ端子（ＳＤＩ−ＩＮ）に接続されるため、ステップＳ１０２へ進む。一方、ＢＮＣ端子（ＳＤＩ−ＩＮ）に接続されない場合には、ステップＳ１０３へ進む。
【００３８】
次に、管理装置１Ａは、ＢＮＣ端子（ＳＤＩ−ＩＮ）への接続により、機器から該機器の個体番号情報を含むアンシラリーデータＡＮＣが送信されたかを判定する（ステップＳ１０２）。
【００３９】
通常、ビデオカメラ３は、上述した規格に基づいて製造されているため、ＢＮＣ端子（ＳＤＩ−ＩＮ）に接続されると、ビデオカメラ３の個体番号に相当するデータをアンシラリーデータＡＮＣに乗せて送信する。それゆえ、本動作例では、ビデオカメラ３から該ビデオカメラ３の個体番号情報を含むアンシラリーデータＡＮＣが送付されるものとする。その後、ステップＳ１０４へ進む。
【００４０】
一方、ステップＳ１０２で機器がＢＮＣ端子（ＳＤＩ−ＩＮ）に接続されていないと判定し、又は、ステップＳ１０３で機器の個体番号情報が一定時間経過しても送信されないと判定した場合、管理装置１Ａは、ＳＤＩ／ＩＰコンバータ１に予め設定されている一意のデフォルト値（デフォルト情報）を取得し、機器の個体番号として使用する（ステップＳ１０３）。
【００４１】
これにより、ビデオカメラ３が「ビデオカメラ３の個体番号に相当するデータをアンシラリーデータＡＮＣに乗せて送信する」という規格を満たしていない場合でも、該ビデオカメラを一意に特定できる。なお、ＳＤＩ／ＩＰコンバータ１のデフォルト値に代えて、任意のサーバ（図１において不図示）に問い合わせて該任意のサーバから受信したデフォルト値や管理者による指定値等を使用してもよい。その後、ステップＳ１０４へ進む。
【００４２】
次に、管理装置１Ａは、ＩＰインタフェース（ｅｔｈ０）にＩＰアドレスが割り振られているかを判定する（ステップＳ１０４）。
【００４３】
ＩＰインタフェース（ｅｔｈ０）は、物理的なＮＩＣの上で論理的に動作する初期インタフェースである。そのため、ＩＰインタフェース（ｅｔｈ０）にＩＰアドレスが割り振られていない場合には、ＮＩＣの故障等によりＳＤＩ／ＩＰコンバータ１で通信できない可能性が考えられるため、本動作を終了する。本動作例では、ＩＰインタフェース（ｅｔｈ０）にＩＰアドレスが割り振られているとする。この場合、ステップＳ１０５へ進む。
【００４４】
次に、管理装置１Ａは、機器が接続されたＢＮＣ端子（ＳＤＩ−ＩＮ）に対応する仮想ＩＰインタフェース（ｅｔｈ０：ｎ）のＩＰアドレスを取得するため、該機器の個体番号情報を含めたＩＰアドレス取得要求をＩＰアドレス割り振り装置５へ送信する（ステップＳ１０５）。
【００４５】
例えば、ビデオカメラ３がＳＤＩ／ＩＰコンバータ１のＢＮＣ１に接続された場合、該ビデオカメラ３からのアンシラリーデータＡＮＣ内の個体番号情報を含めて仮想ＩＰインタフェース（ｅｔｈ０：１）用のＩＰアドレス取得要求を送信する。該ＩＰアドレス取得要求に応じて、ＩＰアドレス割り振り装置５よりビデオカメラ毎に異なるＩＰアドレスが送信される。なお、仮想ＩＰインタフェース（ｅｔｈ０：１）にはＩＰアドレスが設定されていないため、管理装置１Ａは、ＩＰインタフェース（ｅｔｈ０）を用いてＩＰアドレス取得要求を送信してもよいし、他のＮＩＣのＩＰインタフェース（例えば、初期設定時，故障時等に利用する予備的なコントロール用ＮＩＣ）を用いて送信してもよい。
【００４６】
最後に、管理装置１Ａは、ＩＰアドレス割り振り装置５から機器の個体番号情報に対応するＩＰアドレスを受信した後、該ＩＰアドレスを仮想ＩＰインタフェース（ｅｔｈ０：ｎ）に割り当て、該ＩＰアドレスと機器の個体番号情報（機器識別情報）を設定情報管理テーブルに追加する（ステップＳ１０６）。
【００４７】
これにより、例えば、図６に示す設定情報管理テーブルが生成される。管理者は、該設定情報管理テーブルを参照することにより、ＩＰアドレス割り振り装置５によって自動でＩＰアドレスが割り振られた場合であっても、ＳＤＩ側の機器を特定できる。
【００４８】
図７は、機器（ビデオカメラ３）から映像データのＳＤＩ信号が送信された際の動作フローを示す図である。
【００４９】
まず、管理装置１Ａは、機器から映像データのＳＤＩ信号を受信すると、設定情報管理テーブルを参照し、ＳＤＩ信号を受信したＢＮＣ端子に対応する仮想ＩＰインタフェース（ｅｔｈ０：ｎ）を特定する（ステップＳ２０１）。例えば、ビデオカメラ３がＢＮＣ１に接続されている場合には、図６に示した設定情報管理テーブルより、仮想ＩＰインタフェース（ｅｔｈ０：１）を特定する。
【００５０】
その後、管理装置１Ａは、受信したＳＤＩ信号をＩＰパケットに変換し、特定した仮想ＩＰインタフェース（ｅｔｈ０：ｎ）からＩＰネットワーク９へ出力する（ステップＳ２０２）。本動作例では、ＢＮＣ１で受信したＳＤＩ信号をＩＰパケットに変換して仮想ＩＰインタフェース（ｅｔｈ０：１）から出力する。
【００５１】
図８は、ＳＤＩ／ＩＰコンバータ１のＢＮＣ端子から機器（ビデオカメラ３）が取り外された際の動作フローを示す図である。なお、機器が取り外される場合とは、ＳＤＩ／ＩＰコンバータ１のＢＮＣ端子から物理的に同軸ケーブルが取り外される場合、ビデオカメラ３の電源が落ちる場合等が考えらえる。
【００５２】
まず、管理装置１Ａは、設定情報管理テーブルを参照し、機器が取り外されたＢＮＣ端子に対応する仮想ＩＰインタフェース（ｅｔｈ０：ｎ）を特定する（ステップＳ３０１）。
【００５３】
その後、管理装置１Ａは、特定した仮想ＩＰインタフェース（ｅｔｈ０：ｎ）のＩＰアドレスを返却するため、該ＩＰアドレスを含めたＩＰアドレスリリース要求をＩＰアドレス割り振り装置５へ送信する（ステップＳ３０２）。
【００５４】
次に、ＩＰアドレス割り振り装置５の動作について説明する。
【００５５】
図９は、ＩＰアドレス取得要求を受信した際の動作フローを示す図である。ＩＰアドレス割り振り装置５は、図１０に示すように、割り振ったＩＰアドレスと該ＩＰアドレスを割り振った機器の個体番号情報とを関連付けてＩＰアドレス管理テーブルで記憶し管理している。
【００５６】
まず、ＩＰアドレス割り振り装置５は、ＳＤＩ／ＩＰコンバータ１からＩＰアドレス取得要求を受信すると、ＩＰアドレス管理テーブルを参照し、該ＩＰアドレス取得要求に含まれる機器の個体番号情報に対応するＩＰアドレスが使用中かを判定する（ステップＳ４０１）。使用中の場合にはステップＳ４０２へ進み、使用中でない場合にはステップＳ４０４へ進む。
【００５７】
次に、ＩＰアドレスが使用中の場合、ＩＰアドレス割り振り装置５は、使用中と同じＩＰアドレスの使用を指示する応答をＳＤＩ／ＩＰコンバータ１へ返信し、ＩＰアドレス管理テーブルを更新する（ステップＳ４０２，Ｓ４０３）。同一の個体番号に対して以前と別のＩＰアドレスを割り振ると機器の特定が困難になるため、同じＩＰアドレスを継続して使用する必要がある。
【００５８】
一方、ＩＰアドレスが使用中でない場合、ＩＰアドレス割り振り装置５は、ＩＰネットワーク９で未使用のＩＰアドレスを検索し、該未使用のＩＰアドレスを含めたＩＰアドレス取得応答をＳＤＩ／ＩＰコンバータ１へ返信し、該ＩＰアドレスと機器の個体番号情報とを関連付けてＩＰアドレス管理テーブルに追加する（ステップＳ４０４，Ｓ４０５，Ｓ４０６）。
【００５９】
図１１は、ＩＰアドレスリリース要求を受信した際の動作フローを示す図である。ＩＰアドレス割り振り装置５は、ＳＤＩ／ＩＰコンバータ１からＩＰアドレスリリース要求を受信すると、該ＩＰアドレスリリース要求に含まれるＩＰアドレスと該ＩＰアドレスに対応する機器の個体番号情報とをＩＰアドレス管理テーブルから削除し、削除したＩＰアドレスを使用可能状態のＩＰアドレスとして管理する（ステップＳ５０１，Ｓ５０２）。
【００６０】
管理者は、図９〜図１１で生成されるＩＰアドレス管理テーブルを参照することにより、ＩＰアドレス割り振り装置５によって自動でＩＰアドレスが割り振られた場合であっても、ＳＤＩ側の機器を特定できる。
【００６１】
以上より、管理装置１Ａの設定情報管理テーブル及び／又はＩＰアドレス割り振り装置５のＩＰアドレス管理テーブルには、機器の個体番号とＩＰアドレスとが関連付けられているので、管理者は少なくとも一方のテーブルを参照することによりＳＤＩ側の機器を特定できる。
【００６２】
本実施の形態によれば、管理装置１Ａが、ＳＤＩ／ＩＰコンバータ１の備える複数のＢＮＣ端子と複数の仮想ＩＰインタフェースとをそれぞれ関連付けて設定情報管理テーブルで管理し、ビデオカメラ３の識別情報に対応するＩＰアドレスを仮想ＩＰインタフェースに設定し、該設定情報管理テーブルにビデオカメラ３の識別情報と該ＩＰアドレスとを更に関連付けて管理するので、ＳＤＩ／ＩＰコンバータ１に接続されたビデオカメラ３に対するＩＰアドレスの割り振りを簡便に把握できる。つまり、管理者は、管理装置１Ａの設定情報管理テーブル又はＩＰアドレス割り振り装置５のＩＰアドレス管理テーブルを参照することにより、ビデオカメラ３にどのＩＰアドレスが割り振られているかを確認できる。
【００６３】
また、本実施の形態では、管理装置１Ａが、ビデオカメラ３毎に異なるＩＰアドレスを設定するので、ビデオカメラ３毎に異なる通信経路を使用できる。
【００６４】
なお、本実施の形態では、図１２（ａ）に示すように物理的な１つのＮＩＣを用いた場合について説明したが、図１２（ｂ）に示すように複数のＮＩＣを用いてもよい。この場合、複数のＢＮＣ端子に対応する複数の仮想ＩＰインタフェースが異なるＮＩＣ上で生成されてもよい。その他、図１２（ｃ）に示すように、新たに生成した仮想ＩＰインタフェースに代えて、ＮＩＣが初期より備える論理的なＩＰインタフェース（ｅｔｈ０）を複数用いてもよい。
【００６５】
また、本実施の形態では、ＩＰアドレス割り振り装置５がＩＰネットワーク９上に位置する場合について説明したが、ＳＤＩ／ＩＰコンバータ１又は管理装置１ＡがＩＰアドレス割り振り装置５をＩＰアドレス割振部として自身の内部に備える構成としてもよい。
【００６６】
＜第２の実施形態＞
第１の実施の形態では、機器がＳＤＩ／ＩＰコンバータ１のＢＮＣ端子（ＳＤＩ−ＩＮ）に接続される場合について説明した。一方、ＳＤＩ／ＩＰコンバータ１は、ＳＤＩ信号を出力するＢＮＣ端子（ＳＤＩ−ＯＵＴ）を更に備え、ＩＰパケットを機器で用いる信号に変換する機能を更に備えている。そこで、本実施の形態では、図１３に示すように、ＳＤＩ／ＩＰコンバータ１のＢＮＣ端子（ＳＤＩ−ＯＵＴ）にディスプレイ１１（１１ａ〜１１ｄ；受信機）が接続される場合について説明する。
【００６７】
この場合であっても、基本的には接続機器の種類が異なるのみであるから、ＳＤＩ／ＩＰコンバータ１内の管理装置１Ａは、第１の実施の形態で説明した機能を備え、同様の動作を行うことにより、図６に示した設定情報管理テーブルを生成可能である。
【００６８】
ただし、ＳＤＩ信号は単方向通信のため、ディスプレイ１１がＢＮＣ端子（ＳＤＩ−ＯＵＴ）に接続されてもアンシラリーデータＡＮＣはＳＤＩ／ＩＰコンバータ１に送信されない。その結果、ディスプレイ１１を識別するための情報が不足することになる。
【００６９】
そこで、本実施の形態に係る管理装置１Ａは、アンシラリーデータＡＮＣに代えて機器の識別情報として用いるため、互いに異なる複数のデフォルト値（デフォルト情報）を予め設定し記憶しておく識別情報用データ記憶部１０８を更に備えて構成される。管理装置１Ａは、機器がＢＮＣ端子（ＳＤＩ−ＯＵＴ）に接続された場合、一定時間が経過しても機器からアンシラリーデータＡＮＣ等が送信されない場合には、識別情報用データ記憶部１０８から所定のデフォルト値を取得して該機器の個体番号情報として用いる。この動作は、図４に示したステップＳ１０１又はステップＳ１０２からステップＳ１０３へのフローに対応する。
【００７０】
次に、本実施の形態に係る管理装置１Ａの動作について説明する。ここでは、本実施の形態で特有のＩＰパケットが送信された際の動作について説明する。
【００７１】
図１４は、ＩＰネットワーク９から映像データのＩＰパケットが送信された際の動作フローを示す図である。
【００７２】
まず、管理装置１Ａは、ＩＰネットワーク９からＩＰパケットを受信すると、該ＩＰパケットのヘッダ情報を参照してＩＰアドレスを特定する（ステップＳ６０１）。
【００７３】
次に、管理装置１Ａは、設定情報管理テーブルを参照し、ステップＳ６０１で特定したＩＰアドレスが該設定情報管理テーブルにあるかを判定する（ステップＳ６０２）。特定したＩＰアドレスが設定情報管理テーブルにある場合には、本発明の対象ＩＰパケットであることからステップＳ６０４へ進み、特定したＩＰアドレスが設定情報管理テーブルにない場合には、本発明の非対象ＩＰパケットと見做して破棄する（ステップＳ６０３）。
【００７４】
次に、管理装置１Ａは、機器がＢＮＣ端子（ＳＤＩ−ＯＵＴ）に接続されているかを判定し、機器がＢＮＣ端子（ＳＤＩ−ＯＵＴ）に接続されている場合には、受信したＩＰパケットの宛先ポート番号が映像のポート番号であるかを判定する（ステップＳ６０４，Ｓ６０５）。
【００７５】
ここで、機器がＢＮＣ端子（ＳＤＩ−ＯＵＴ）に接続されており、かつ、受信したＩＰアドレスのポート番号が映像のポート番号である場合には、ステップＳ６０７へ進む。一方、機器がＢＮＣ端子（ＳＤＩ−ＯＵＴ）に接続されていない場合、又は、受信したＩＰアドレスのポート番号が映像のポート番号でない場合には、映像用の機器に対するＩＰパケットでなく他用途のＩＰパケットであることから、該ＩＰパケットに含まれるデータ内容に基づき処理する（ステップＳ６０６）。
【００７６】
次に、管理装置１Ａは、設定情報管理テーブルを参照し、受信したＩＰパケットのＩＰアドレスに対応する仮想ＩＰインタフェース及びＢＮＣ端子の値を取得する（ステップＳ６０７）。
【００７７】
最後に、管理装置１Ａは、受信したＩＰパケットからＩＰヘッダを削除してＳＤＩ信号に変換し、該ＩＰパケットのＩＰアドレスに対応するＢＮＣ端子から出力する（ステップＳ６０８，Ｓ６０９）。
【００７８】
本実施の形態によれば、管理装置１Ａが、第１の実施の形態と同様の構成を備えるので、ＳＤＩ／ＩＰコンバータ１に接続されたディスプレイ１１に対するＩＰアドレスの割り振りを簡便に把握できる。
【００７９】
＜第３の実施形態＞
第１の実施の形態及び第２の実施の形態では、ＩＰアドレスがユニキャストアドレスの場合について説明した。一方、本実施の形態では、マルチキャストグループアドレスを更に用いる場合について説明する。マルチキャストグループアドレスを用いることにより、ＩＰネットワーク９における通信帯域のデータ使用量の低減に効果がある。
【００８０】
図１５は、本実施の形態に係る管理システム１００の全体構成を示す図である。該管理システム１００は、第１の実施の形態の構成と第２の実施の形態の構成とを組み合わせて構成される。
【００８１】
送信側のＳＤＩ／ＩＰコンバータ１ａは、ビデオカメラ３（３ａ〜３ｄ）からの映像をマルチキャスト送信するため、設定情報管理テーブルに送信先マルチキャストグループアドレスを追加して管理する。具体的には、図１６（ａ）に示すように、設定情報管理テーブルに「送信先マルチキャストグループアドレス」の欄を追加し、ビデオカメラ毎に異なる送信先マルチキャストグループアドレスを設定する。送信側のＳＤＩ／ＩＰコンバータ１ａは、ビデオカメラ３からＳＤＩ信号を受信した場合、変換後のＩＰパケットを送信先マルチキャストグループアドレスを用いて送信する。
【００８２】
送信先マルチキャストグループアドレスの設定方法としては、例えば、ＳＤＩ／ＩＰコンバータ１ａに予め設定しておく方法、ＩＰアドレス割り振り装置５がＩＰアドレス取得要求に応じてユニキャストのＩＰアドレスと共に返信する方法、管理者がシステム管理端末７を用いてＳＤＩ／ＩＰコンバータ１ａに直接アクセスして設定する方法、管理者がＩＰアドレス割り振り装置５を介してＳＤＩ／ＩＰコンバータ１ａに間接的にアクセスして設定する方法等がある。
【００８３】
受信側のＳＤＩ／ＩＰコンバータ１ａでも同様に、ビデオカメラ３（３ａ〜３ｄ）からの映像をマルチキャストで受信するため、設定情報管理テーブルに受信するマルチキャストグループアドレスを追加して管理する。具体的には、図１６（ｂ）に示すように、設定情報管理テーブルに「受信するマルチキャストグループアドレス」の欄を追加し、所望のマルチキャストグループアドレスを設定する。受信側のＳＤＩ／ＩＰコンバータ１ａは、設定されたマルチキャストグループアドレスにアクセスし、該マルチキャストグループアドレスに配信されている映像データのＩＰパケットを受信する。なお、マルチキャストグループへの加入又は脱退等についてはＩＧＭＰ（Ｉｎｔｅｒｎｅｔ  Ｇｒｏｕｐ  Ｍａｎａｇｅｍｅｎｔ  Ｐｒｏｔｏｃｏｌ）等の公知技術を用いる。
【００８４】
受信するマルチキャストグループアドレスの設定方法としては、上述した方法以外に、例えば、管理者が送信側のＳＤＩ／ＩＰコンバータ１ａ又はマルチキャストグループアドレスの管理サーバ（図１５において不図示）から複数のマルチキャストグループアドレスを取得し、適宜選択したものを設定する方法等がある。
【００８５】
本実施の形態によれば、設定情報管理情報テーブルにマルチキャストグループアドレスを関連付けて管理し、変換したＩＰパケットの送信先ＩＰアドレス及び／又はＩＰパケットを受信するＩＰアドレスとしてマルチキャストグループアドレスを設定するので、ＩＰネットワーク９における通信帯域のデータ使用量を低減できる。
【００８６】
＜第４の実施形態＞
第１の実施の形態〜第３の実施の形態では、ＳＤＩ／ＩＰコンバータ１がＢＮＣ端子（ＳＤＩ−ＩＮ，ＳＤＩ−ＯＵＴ）を備える場合について説明した。一方、近年では、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に対応した機器が考案されている。
【００８７】
そこで、本実施の形態に係るＳＤＩ／ＩＰコンバータ１は、図１７に示すように、ＨＤＭＩ端子を更に備えて構成される。ＨＤＭＩ信号は、ＳＤＩ信号と異なり双方向通信可能である。そのため、本実施の形態に係る管理装置１Ａは、機器（送受信機）の個体番号情報を自装置から機器に問い合わせる識別情報問合部１０９を更に備えて構成される。識別情報問合部１０９は、ＨＤＭＩ端子に接続された機器に対して、該機器の個体番号を問い合わせる個体番号問合要求を送信する。管理装置１Ａは、該個体番号問合要求に応じて受信した機器の個体番号情報を用いてＩＰアドレス割り振り装置５からＩＰアドレスを取得する。
【００８８】
本実施の形態によれば、機器の個体番号を自装置から能動的に問い合わせ、該問い合わせに応じて受信した機器の個体番号を該機器の個体番号情報として用いるので、より確実に機器を判別できる。
【００８９】
最後に、本実施の形態で説明した管理装置１Ａは、ＣＰＵ等の演算機能やメモリ等の記憶機能を備えたコンピュータで実現できる。又、管理装置１Ａとしてコンピュータを機能させるための管理プログラムや該管理プログラムの記憶媒体を作成することも可能である。
【符号の説明】
【００９０】
１，１ａ，１ｂ…ＳＤＩ／ＩＰコンバータ
１Ａ…管理装置
１０１…仮想ＩＰインタフェース生成部
１０２…データ／信号受信部
１０３…ＩＰアドレス要求部
１０４…ＩＰアドレス設定部
１０５…データ管理部
１０６…出力ＩＰインタフェース特定部
１０７…ＳＤＩ／ＩＰ変換部
１０８…識別情報用データ記憶部
１０９…識別情報問合部
３，３ａ〜３ｄ…ビデオカメラ
５…ＩＰアドレス割り振り装置
５０１…ＩＰアドレス管理部
５０２…ＩＰアドレス取得要求受信部
５０３…ＩＰアドレス割振部
７…システム管理端末
９…ＩＰネットワーク
１１，１１ａ〜１１ｄ…ディスプレイ
１００…管理システム
Ｓ１０１〜Ｓ１０６、Ｓ２０１〜Ｓ２０２、Ｓ３０１〜Ｓ３０２、Ｓ４０１〜Ｓ４０６、Ｓ５０１〜Ｓ５０２、Ｓ６０１〜Ｓ６０９…ステップ
【図１】
0006751593.tif 000002
【図２】
0006751593.tif 000003
【図３】
0006751593.tif 000004
【図４】
0006751593.tif 000005
【図５】
0006751593.tif 000006
【図６】
0006751593.tif 000007
【図７】
0006751593.tif 000008
【図８】
0006751593.tif 000009
【図９】
0006751593.tif 000010
【図１０】
0006751593.tif 000011
【図１１】
0006751593.tif 000012
【図１２】
0006751593.tif 000013
【図１３】
0006751593.tif 000014
【図１４】
0006751593.tif 000015
【図１５】
0006751593.tif 000016
【図１６】
0006751593.tif 000017
【図１７】
0006751593.tif 000018